(57)【要約】【課題】中継器の機能の自己診断を自動的に効率よく短時間で行うことができるようにした中継器を得ることを目的とする。【解決手段】火災受信機と防災信号のやりとりをする中継器１における端末機器の動作結果を火災受信機に伝送するＣＰＵ１１は、ダミー端末機器４４、４５の状態を検出して中継器１の機能の自己診断を行う自己診断プログラムを格納し、試験機２の試験開始信号を出力する試験信号出力部４３をＣＰＵ１１と接続し、試験機２の電源を供給する電源回路４６を電源端子２１に接続し、試験機２のダミー端末機器４４、４５を端末制御出力２４、２５、２７に接続し、ＣＰＵ１１は試験機２の試験信号出力部４３からの試験開始信号を受信すると、自己診断プログラムを実行してダミー端末機器４４、４５の動作状態から機能の自己診断をするようにしたものである。【選択図】図１
2007323210.tif 000002
【特許請求の範囲】
【請求項１】
電源端子に接続した火災受信機から電源供給され、端末用端子に接続した入力型又は出力型の各端末機器の状態を検出し、各端末機器の状態の判断結果を火災受信機に伝送するＣＰＵを備えた中継器において、
前記ＣＰＵは、前記中継器の機能を自己診断をする自己診断プログラムを格納し、試験機の試験開始信号を受信すると、前記自己診断プログラムを実行することを特徴とする中継器。
【請求項２】
前記中継器の前記電源端子に前記試験機の電源を供給する電源回路を接続し、前記中継器の前記端末用端子に、入力型端末機器又は出力型端末機器のいずれかに対応した前記試験機のダミー端末機器を接続し、前記試験機の試験判定部に、前記中継器は自己診断結果を送信する請求項１記載の中継器。
【発明の詳細な説明】
【技術分野】
【０００１】
本発明は防災用の端末機器と接続された中継器に係り、特に試験機からの試験開始信号により、中継器のＣＰＵが格納する自己診断プログラムが動作して自己診断モードとなり、中継器の機能試験を自動的に行うようにしたものに関する。
【背景技術】
【０００２】
従来の自火報システムの中継器は、抵抗器によって抵抗値を変えて、感知器回線の電圧レベルを変化させ、この変化が実際の火災感知器或いは非常火災発信機が発報したのと同じになるようにした動作試験回路を付加することによって、火災受信機から導出された感知器回線と共通端子とを短絡し、感知器回線の電圧レベルを変化させて、疑似的に火災感知器或いは非常火災発信機を発報させ、蓄積機能の動作試験を行うようになっている（例えば、特許文献１参照）。
【特許文献１】特開平１０−２０８１６４号公報（第１頁、第１図）
【発明の開示】
【発明が解決しようとする課題】
【０００３】
しかしながら、従来の自火報システムの中継器では、動作試験回路で火災受信機から導出された複数の感知器回線と共通端子とを短絡し、各感知器回線の電圧レベルを変化させる場合、手動操作により行い、しかも感知器回線毎に切り替えが必要なため、動作試験に手間と時間がかかるという問題があった。
本発明はかかる問題点を解決するためになされたもので、中継器の機能の自己診断を自動的に効率よく短時間で行うことができるようにした中継器を得ることを目的とする。
【課題を解決するための手段】
【０００４】
本発明に係る中継器は、電源端子に接続した火災受信機から電源供給され、端末用端子に接続した入力型又は出力型の各端末機器の状態を検出し、各端末機器の状態の判断結果を火災受信機に伝送するＣＰＵを備えた中継器において、前記ＣＰＵは、前記中継器の機能を自己診断をする自己診断プログラムを格納し、試験機の試験開始信号を受信すると、前記自己診断プログラムを実行するようにしたものである。
【発明の効果】
【０００５】
以上で説明したように本発明の中継器によれば、電源端子に接続した火災受信機から電源供給され、端末用端子に接続した入力型又は出力型の各端末機器の状態を検出し、各端末機器の状態の判断結果を火災受信機に伝送するＣＰＵを備えた中継器において、前記ＣＰＵは、前記中継器の機能を自己診断をする自己診断プログラムを格納し、試験機の試験開始信号を受信すると、前記自己診断プログラムを実行するようにしたので、ダミー端末機器の状態を検出して中継器の機能の自己診断を自動的に効率よく短時間で行うことができ、製品検査時に自己診断の結果に基づいて中継器の適否も判断することができる。
【発明を実施するための最良の形態】
【０００６】
実施の形態１．
図１は本発明の実施の形態１の中継器に試験機が接続された構成図、図２は同中継器の自己診断モードの手順を示すフローチャートである。
図１において、１は火災受信機（図示省略）からの防災情報の信号を受けて出力型の端末機器である例えば防排煙機器を動作制御する中継器である。２は中継器１と接続され、中継器１が機能チェックを行うための試験機である。
中継器１は、中継器１としての動作制御を行う制御部であるＣＰＵ１１と、防排煙機器を動作制御するためのリレー制御回路１２と、リレー制御回路１２によって動作させられる４つのリレー駆動用スイッチ１３と、ＣＰＵ１１に接続され、防排煙機器の動作を監視する端末監視回路１４と、火災受信機（図示省略）からの防災情報の信号をＣＰＵ１１に伝送する伝送回路１５と、３Ｖの電圧を出力するＣＰＵ用３Ｖ生成回路１６とを有して主に構成されている。
【０００７】
また、ＣＰＵ１１に中継器１の通常の監視動作を行うための端末機器監視制御プログラムと、中継器１が試験機2からの試験開始信号を受信すると、中継器1の機能の自己診断を行う自己診断プログラムとがＣＰＵ１１のＲＯＭ１７に格納されており、さらにＣＰＵ１１にはアドレス設定器により設定されたアドレスを格納するアドレス格納用ＥＥＰＲＯＭ１８と、ＬＥＤの確認灯１９が接続されている。
また、中継器１には、２４Ｖの第１の外部電源を受けるための並列に接続された一対の第１の電源端子２１ａ、２１ｂが設けられ、これらの第１の電源端子２１ａ、２１ｂは伝送回路１５と３Ｖ生成回路１６に接続されている。
【０００８】
さらに、中継器１には、アドレス設定器接続用コネクタ２２が設けられ、そのアドレス設定器接続用コネクタ２２は伝送回路１５と３Ｖ生成回路１６に接続されている。
また、中継器１には、２４Ｖの第２の外部電源を受けるための並列に接続された一対の第２の電源端子２３ａ、２３ｂが設けられ、これら第２の電源端子２３ａ、２３ｂは４つの端末機器用制御出力端子２４に接続されている。
【０００９】
さらに、中継器１には、リレー制御回路１２によって動作させられる４つのリレー駆動用スイッチ１３の両側に端末制御出力端子２５と、マイナス電源端子２６と、端末監視回路１４と接続される４つの端末機器用入力端子２７と、ＣＰＵ１１と接続される３つのデータ送信用端子２８と、ＣＰＵ１１と接続される試験開始信号入力端子２９と、３Ｖ生成回路１６と接続されるＣＰＵ用電源出力端子３０とが設けられている。
【００１０】
また、試験機２は、試験機２としての動作制御を行い、試験時の中継器１からの返信データにより中継器１の動作の良否を判断する試験判定部であるＣＰＵ４１と、中継器１の判定結果を表示する表示部４２と、ＣＰＵ４１からの試験開始信号を送信する試験信号出力線４３と、防排煙機器等のダミー端末機器である４つのリレー用コイル４４及び４つのリレー接点４５と、２４Ｖの第１の電源回路４６と、２４Ｖの第２の電源回路４７とを有して主に構成されている。
【００１１】
その試験機２には、中継器１の一方の第１の電源端子２１ａと接続される第１の検出用端子５０が設けられ、その第１の検出用端子５０は第１の電圧検出回路５１と接続されており、第１の電圧検出回路５１はＣＰＵ４１に接続されている。
さらに、試験機２には、中継器１の他方の第１の電源端子２１ｂと接続される第１の電圧入力端子５２が設けられ、その第１の電圧入力端子５２は第１のスイッチ５３ａ及び電流制限回路５４を介して第１の電源回路４６に接続されている。また、試験機２には、中継器１のアドレス設定器接続用コネクタ２２と接続されるコネクタ用端子５５が設けられ、そのコネクタ用端子５５は第２のスイッチ５３ｂを介して電流制限回路５４に接続されている。
【００１２】
さらに、試験機２には、中継器１の一方の第２の電源端子２３ａと接続される第２の検出用端子５６が設けられ、その第２の検出用端子５６は第２の電圧検出回路５７と接続されており、その第２の電圧検出回路５７はＣＰＵ４１に接続されている。
また、試験機２には、中継器１の他方の一対の第２の電源端子２３ｂと接続される第２の電圧出力端子５８が設けられ、その第２の電圧出力端子５８は第２の電源回路４７と接続されている。
【００１３】
さらに、試験機２には、中継器１の４つの端末機器用制御出力端子２４と接続される端末機器用入力端子５９が設けられ、その端末機器用入力端子５９は４つのリレー用コイル４４の一方とそれぞれ接続され、また中継器１の４つの端末制御出力端子２５とそれぞれ接続されるコイル用接続端子６０が設けられ、そのコイル用接続端子６０はリレー用コイル４４の他方とそれぞれ接続されている。
【００１４】
また、試験機２には、中継器１のマイナス電源端子２６とそれぞれ接続される電圧検出端子６１が設けられ、これら電圧検出端子６１は第３の電圧検出回路６２と接続されている。その第３の電圧検出回路６２は抵抗６３を介して第２の電源回路４７と接続されている。また、電圧検出回路６２の信号はＣＰＵ４１に入力される。さらに、試験機２には４つのリレー接点４５の一方とそれぞれ接続されるリレー接点端子６４が設けられており、リレー接点４５の他方は第２の電源回路４７と接続されている。そのリレー接点端子６４は中継器１の端末機器用入力端子２７と接続される。
【００１５】
さらに、試験機２には、中継器１の３つのデータ送信用端子２８と接続されるデータ受信用端子６５が接続されており、そのデータ受信用端子６５はＣＰＵ４１に接続されている。
また、試験機２には、中継器１の試験開始信号入力端子２９と接続される試験開始信号出力端子６６が設けられており、その試験開始信号出力端子６６はＣＰＵ４１に接続されており、また、中継器１のＣＰＵ用電源出力端子３０と接続されるＣＰＵ用電源入力端子６７が設けられており、そのＣＰＵ用電源入力端子６７はＣＰＵ４１に接続されている。
この試験開始信号出力端子６６からの出力は、後述する自己診断の手順に基づいて、各ステップ毎に行われ、データ受信用端子６５への正常入力があってから出力される。また、３つのデータ受信用端子６５のうち、一つは自己診断の良否を受信し、その他の二つは２進数で番号を付け、各ステップが順次行われることを確認するとともに、不良の場合のステップがデータから把握できるようになっている。
【００１６】
次に、本発明の実施の形態１のの中継器の自己診断の手順を図２のフローチャートに基づいて説明する。
（１）中継器に試験機を接続（ステップ１）
まず、中継器１の機能検査を行う場合には、中継器１の各端子にそれに対応する試験機２の各端子をそれぞれ試験治具のピン６９を介して接続する。なお、以下の説明では試験治具のピン６９は省略して説明する。
【００１７】
（２）電源投入（ステップ２）
次に、試験機２の第１のスイッチ５３ａをオンすると、試験機２の第１の電源回路４６の２４Ｖが電流制限回路５４と第１の電源入力端子５２と中継器１の第１の電源端子２１ｂを介して３Ｖ生成回路１６に印加され、３Ｖ生成回路１６は２４Ｖから生成した３ＶをＣＰＵ１１のvccに電源投入し、ＣＰＵ１１は動作状態に設定される。
【００１８】
このとき、試験機２の第１の検出回路５１は第１の検出用端子５０と中継器１の第１の電源端子２１ａを介して、中継器１の第１の電源端子２１ｂに試験機２の第１の電源回路４６の２４Ｖが印加されているか否かを検出しており、第１の検出回路５１が２４Ｖを検出したら、その検出信号がＣＰＵ４１に送られ、ＣＰＵ４１では正常と判断し、その旨を表示部４２に表示させる。
また、３Ｖ生成回路１６が生成した３ＶはＣＰＵ用電源出力端子３０と試験機２のＣＰＵ用電源入力端子６７を介してＣＰＵ４１に印加され、試験機２のＣＰＵ４１も動作状態に設定される。
【００１９】
（３）自己診断モードの開始（ステップ３） 
そこで、試験機２のＣＰＵ４１が出力した試験開始信号は試験開始信号出力端子６６及び中継器１の試験開始信号入力端子２９を介して中継器１のＣＰＵ１１に入力される。
試験開始信号を受けたＣＰＵ１１では、ＲＯＭ１７に格納されている自己診断プログラムを起動させて自己診断モードに入る。
ＣＰＵ１１は自己診断モードに入ると、イニシャル処理を開始し、そのイニシャル処理後に全てのリレー接点４５を同時にリセット状態に復帰させ、確認灯１９を点灯させる。この確認灯１９の点灯により、自己診断モードに入ったことを目視で確認することができ、合わせて確認灯１９の点灯試験も兼ねる。
なお、試験機２のＣＰＵ４１からの試験開始信号は次に進むステップ毎に中継器１に出力されるが、それ以降の説明では試験機２から中継器１への試験開始信号の出力の説明は省略する。
【００２０】
（４）伝送部動作確認（ステップ４）
次に、ＣＰＵ１１のＴＸＤポートから伝送回路１５に２バイトの信号を送信し、伝送回路１５からの２バイトの信号の受信をＣＰＵ１１のＲＸＤポートで受信したら、ＣＰＵ１１は伝送回路１５が正常に動作していると判断する。
【００２１】
（５）２４Ｖ電源監視（ステップ５）
また、試験機２の第２の電源回路４７の２４Ｖが第２の電源出力端子５８を介して中継器１の第２の電源端子２３ｂに印加されている。
このとき、試験機２の第２の検出回路５７は第２の検出用端子５６と中継器１の第２の電源端子２３ａを介して、中継器１の第２の電源端子２３ｂに試験機２の第２の電源回路４７の２４Ｖが印加されているか否かを検出しており、第２の検出回路５７が２４Ｖを検出したら、その検出信号がＣＰＵ４１に送られ、ＣＰＵ４１では正常と判断し、その旨を表示部４２に表示させる。
【００２２】
（６）端末機器用回線の監視（ステップ６）
中継器１の端末監視回路１４は端末機器用入力端子２７と試験機２のリレー接点端子６４を介して第２の電源回路４７に接続されている端末機器の一部であるリレー接点４５と接続されており、そのリレー接点４５は自己診断モードの開始時にリセット状態に復帰させられているために開放している。
従って、端末監視回路１４に入力オフであれば、リレー接点４５は開放しており、正常であることになる。端末監視回路１４は入力オフ信号をＣＰＵ１１に送り、ＣＰＵ１１ではリレー接点４５が開放して正常と判断する。
【００２３】
（７）端末機器起動制御確認（ステップ７）
中継器１のＣＰＵ１１はリレー接点４５が開放して正常と確認したら、リレー制御回路１２に駆動指令を出力し、リレー制御回路１２はリレー駆動用スイッチ１３をオンさせる。そうすると、試験機２の第２の電源回路４７の２４Ｖが第２の電圧出力端子５８と、第２の電源端子２３ｂと端末機器用制御出力端子２４と試験機２の端末機器用入力端子５９を介して４つのリレー用コイル４４に印加され、これらリレー用コイル４４の励磁によりリレー接点４５はそれぞれ閉成する。
これらリレー接点４５の閉成によって端末監視回路１４は入力オンとなり、その入力オン信号をＣＰＵ１１に送り、ＣＰＵ１１ではリレー接点４５が閉成し、端末機器であるリレーの起動制御が正常に行われたと判断する。
【００２４】
（８）端末機器復帰制御確認（ステップ８）
上記ステップ７の端末機器起動制御確認の確認が終了したら、今度は端末機器復帰制御確認を行う。
ＣＰＵ１１はリレー接点４５が閉成し、リレーの起動制御が正常と確認したら、リレー制御回路１２に復帰制御指令を出力し、リレー制御回路１２はリレー駆動用スイッチ１３をオフさせる。そうすると、第２の電源回路４７の２４Ｖの電圧がリレー用コイル４４に印加されなくなり、リレー用コイル４４の非励磁によりリレー接点４５は開放する。
それらリレー接点４５の開放によって端末監視回路１４は入力オフとなり、その入力オフ信号をＣＰＵ１１に送り、ＣＰＵ１１ではリレー接点４５が開放し、端末機器であるリレーの復帰制御が正常に行われたと判断する。
【００２５】
以上のステップ７の端末機器起動制御確認とステップ８の端末機器復帰制御確認の説明では、リレー用コイル４４が一括して励磁され、リレー接点４５の閉成と開放も一括して行われるものとしているが、１つのリレー用コイル４４及びリレー接点４５についての起動制御確認と復帰制御確認が終了したら、次のリレー用コイル４４及びリレー接点４５についての起動制御確認と復帰制御確認が行われ、最後のリレー用コイル４４及びリレー接点４５についての起動制御確認と復帰制御確認が順次行われることになる。
【００２６】
（９）アドレス設定器接続部の確認（ステップ９）
次に、試験機２の第２のスイッチ５３ｂをオンし、第１のスイッチ５３ａをオフする。そうすると、第１の電源回路４６の２４Ｖの電圧は第２のスイッチ５３ｂとコネクタ用端子５５と中継器１のアドレス設定器接続用コネクタ２２を介して第１の電源端子２１ａ、２１ｂに印加され、その第１の電源端子２１ａ、２１ｂを介して伝送回路１５と３Ｖ生成回路１６に印加され、３Ｖ生成回路１６は２４Ｖから生成した３ＶをＣＰＵ１１のｖｃｃに供給する。
アドレス設定器接続部の確認は、アドレス設定器接続用コネクタ２２からの電源供給に切替え、次のステップ１０の試験が行えれば電源供給されていることになるため正常と判断する。
【００２７】
（１０）ＥＥＰＲＯＭ確認（ステップ１０）
ＣＰＵ１１は、アドレス格納用ＥＥＰＲＯＭ１８に所定の値のアドレスを書き込み、格納後に書き込んだアドレスの読み込みを行う。そのアドレスの読み込みができれば、正常と判断し、その旨をデータ送信用端子２８と試験機２のデータ受信用端子６５を介して試験機２のＣＰＵ４１に送り、ＣＰＵ４１はその旨を表示部４２に表示させる。（例えば、０１１）
【００２８】
（１１）中継器の電源部の再確認（ステップ１１）
上記ＥＥＰＲＯＭ確認が終了したら、試験機２の第１のスイッチ５３ａをオンし、第２のスイッチ５３ｂをオフする。そうすると、第１の電源回路４６の２４Ｖの電圧は第１のスイッチ５３ａと第１の電源端子２１ａ、２１ｂを介して伝送回路１５と３Ｖ生成回路１６に印加され、３Ｖ生成回路１６は２４Ｖから生成した３ＶをＣＰＵ１１に供給する。
このときに、試験機２の第１の検出回路５１は第１の検出用端子５０と中継器１の第１の電源端子２１ａを介して、中継器１の第１の電源端子２１ｂに試験機２の第１の電源回路４６の２４Ｖが印加されているか否かを検出しており、第１の検出回路５１が２４Ｖを検出したら、その検出信号がＣＰＵ４１に送られ、ＣＰＵ４１では正常と判断し、その旨を表示部４２に表示させる。
【００２９】
また、試験機２の第２の電源回路４７の２４Ｖが第２の電源出力端子５８と中継器１の第２の電源端子２３ｂに印加されている。
このとき、試験機２の第２の検出回路５７は第２の検出用端子５６を介して中継器１の第２の電源端子２３ａに試験機２の第２の電源回路４７の２４Ｖが印加されているか否かを検出しており、第２の検出回路５７が２４Ｖを検出したら、その検出信号がＣＰＵ４１に送られ、ＣＰＵ４１では正常と判断し、その旨を表示部４２に表示させる。
さらに、試験機２の第２の電源回路４７の２４Ｖが抵抗６３を介して第３の電圧検出回路６２に印加されており、第３の電圧検出回路６２は中継器１のマイナス電源端子２６と接続される電圧検出端子６１と接続されており、マイナス電源端子２６は２４Ｖのマイナスに接続されているため、中継器１のマイナス電源端子２６側に断線がなく正常であれば、第３の電圧検出回路６２は０Ｖを検出し、マイナス電源端子２６側に断線があれば、第２の電源回路４７の２４Ｖが第３の電圧検出回路６２に印加されることにより、第３の電圧検出回路６２は２４Ｖを検出し、いずれの場合もその検出信号がＣＰＵ４１に送られ、ＣＰＵ４１では正常又は異常と判断し、その旨を表示部４２に表示させる。
なお、上記ステップ２〜１０において、中継器１のＣＰＵ１１が判断した内容のデータは、データ送信用端子２８と試験機２のデータ受信用端子６５を介してＣＰＵ４１に送られる。
【００３０】
（１２）自己診断モードの終了（ステップ１２）
上記ステップ１〜１１が終了した後は、自己診断モードは完了するため、自動的に自己診断モードを完了する。
なお、自己診断モード中の各ステップの開始時における試験開始信号の入力信号待機時に、約３０秒待っても信号がない場合は自己診断モードを強制終了とする。
自己診断モードの完了後又は自己診断モードの強制終了後は確認灯１９は消灯させられる。
また、データ送信用端子２８の１つであるTP９は、正常出力時は「０」、異常出力時は「１」を出力する（ＮＧビットとする）。なお、異常出力時は約３０秒後に終了させずに入力信号待機状態とし、その後、再度次の入力信号を中継器１側で受けたら試験を再開する。
【００３１】
以上で説明したように本発明の実施の形態１によれば、中継器１のＣＰＵ１１はダミー端末機器の状態を検出して中継器１の機能の自己診断を行う自己診断プログラムを格納し、試験機２の試験開始信号を出力する試験信号出力部であるＣＰＵ４１と中継器のＣＰＵ１１とを接続し、試験機２の電源を供給する電源回路４６を中継器１の電源端子２１に接続し、試験機２のリレー用コイル４４を端末制御出力端子２４，２５に接続し、端末制御出力端子２４を試験機２の電源回路４７に接続し、端末制御出力端子２５を接地されているリレー駆動用スイッチ１３に接続し、リレー用コイル４４の励磁によって駆動するリレー接点４５の動作を監視する端末監視回路１４をＣＰＵ１１に接続し、中継器１のＣＰＵ１１は試験機２のＣＰＵ４１からの試験開始信号を受信すると、自己診断プログラムを実行して自己診断を行うようにしたので、中継器１のＣＰＵ１１は試験機２のＣＰＵ４１からの試験開始信号を受信すると、自己診断プログラムを実行し、ＣＰＵ１１はリレー駆動用スイッチ１３をオン動作させ、それによってリレー用コイル４４が励磁されてリレー接点４５が動作し、端末監視回路１４はリレー接点４５の動作の検出結果をＣＰＵ１１に伝えるため、ＣＰＵ１１はダミー端末機器であるリレー用コイル４４とリレー接点４５の動作状態を検出して自己診断を自動的に効率よく短時間で行うことができ、製品検査時に自己診断の結果に基づいて中継器の適否も判断することができる。
また、火災受信機と接続することなく試験ができるため、中継器１と火災受信機間との伝送時間や火災受信機が表示するまでの時間が省けるため検査時間の大幅な短縮につながる。
【００３２】
実施の形態２．
図３は本発明の実施の形態２の中継器に試験機が接続された構成図である。
上記実施の形態１の中継器は出力型の端末機器用のものであり、試験機もそれに対応したダミー端末機器を備えた構成のものであるが、この実施の形態２の中継器は入力型の端末機器用のものであり、試験機もそれに対応したダミー端末機器を備えた構成となっている。
図３において、実施の形態１と同様の構成は同一符号を付して重複した構成の説明を省略し、相違する構成について説明する。なお、ここで、入力型の端末機器とは火災感知器等をいう。
この実施の形態２の中継器１には、実施の形態１のリレー制御回路１２やリレー駆動用スイッチ１３や端末監視回路１４はなく、その代わりに、ＣＰＵ１１に接続されている受信回路３４と、受信回路３４に接続されている受信回路用接続端子３５とが設けられている。
【００３３】
また、この実施の形態２の試験機２には、実施の形態１のリレー用コイル４４やリレー接点４５やコイル用接続端子６０やリレー電圧検出端子６１はなく、その代わりに４つの短絡試験用スイッチ７４と、これら短絡試験用スイッチ７４に接続された火災感知器のダミーであるツエナーダイオード７５と、４つの断線試験切替用スイッチ７６と、これら断線試験切替用スイッチ７６に接続された終端器７７及び断線用抵抗７８と、端末機器用接続端子７９が設けられている。
【００３４】
４つの短絡試験用スイッチ７４の一方は端末機器用入力端子５９に接続され、これら短絡試験用スイッチ７４の他方はツエナーダイオード７５を介してそれぞれ端末用接続端子７９と接続され、これら端末用接続端子７９は第３の電圧検出回路６２と接続されていると共に、中継器１の受信回路用接続端子３５と接続される。
さらに、４つの端末機器用入力端子５９にはそれぞれ断線試験切替用スイッチ７６の一方の可動接点７６ａが接続され、各断線試験切替用スイッチ７６の他方の常閉接点７６ｂは終端器７７を介して端末用接続端子７９と接続され、各断線試験切替用スイッチ７６の他方の常開接点７６ｃは断線用抵抗７８を介して端末用接続端子７９と接続されている。
（なお、短絡試験用スイッチ７４のオン・オフ及び断線試験切替用スイッチ７６の可動接点７６ａの切替動作はＣＰＵ４１からの指令に基づいて行われる。）
【００３５】
次に、本発明の実施の形態２の中継器の自己診断の手順を図４のフローチャートに基づいて説明する。
実施の形態２の中継器の自己診断の手順において、中継器１に試験機２を接続するステップ１から２４Ｖ電源監視のステップ５までと、アドレス設定器接続部の確認のステップ９から自己診断モードの終了のステップ１２までは実施の形態１と同じであるので、実施の形態２のステップ１からステップ５までと、ステップ１０からステップ１２までの説明は省略する。
【００３６】
（６）監視線の平常状態監視（ステップ６）
ここに、監視線の平常状態とは、４つの短絡試験用スイッチ７４が開成しており、断線試験切替用スイッチ７６の一方の可動接点７６ａが他方の常閉接点７６ｂと接触している状態をいう。
この監視線の平常状態の場合には、第２の電源回路４７の２４Ｖの電圧が第２の電圧出力端子５８から中継器１の第２の電源端子２３ｂ及び端末機器制御入力端子２４と試験機２の端末機器用入力端子５９及び終端器７７を介して第３の検出回路６２に印加されると共に、端末機器用接続端子７９と中継器１の受信回路用接続端子３５を介して受信回路３４に印加される。
【００３７】
従って、中継器１の受信回路３４は２４Ｖの印加があったことを検出し、その検出信号をＣＰＵ１１に送り、ＣＰＵ１１では監視線が平常状態にあることを確認して正常と判断する。また、試験機２の第３の検出回路６２も２４Ｖの印加があったことを検出し、その検出信号をＣＰＵ４１に送り、ＣＰＵ４１では監視線が平常状態にあることを確認して正常と判断し、その旨を表示部４２に表示させる。
【００３８】
（７）断線監視確認（ステップ７）
監視線の平常状態監視が終了したら、４つの断線試験切替用スイッチ７６のうち、一つ目の断線試験切替用スイッチ７６の可動接点７６ａを常開接点７６ｃと接触するよう切り替る。そうすると、第２の電源回路４７の２４Ｖの電圧が断線用抵抗７８によって電圧降下された断線検出電圧を中継器１の受信回路３４は検出し、その検出信号をＣＰＵ１１に送り、ＣＰＵ１１では監視線の１回線目が断線状態にあることを確認して正常と判断する。また、試験機２の第３の検出回路６２も断線検出電圧を検出し、その検出信号をＣＰＵ４１に送り、ＣＰＵ４１では監視線の１回線目が断線状態にあることを確認して正常と判断し、その旨を表示部４２に表示させる。
【００３９】
一つ目の断線試験切替用スイッチ７６の可動接点７６ａを常開接点７６ｃと接触するよう切り替えることによる断線監視が終了したら、２つ目の断線試験切替用スイッチ７６についても１つ目と同様にして断線監視を行い、こうして最後の、即ち４つ目の断線試験切替用スイッチ７６についても同様に断線監視を行い、断線監視が終了する。
なお、断線監視が終了したら、４つの断線試験切替用スイッチ７６の可動接点７６ａを終端器７７と接続されている常閉接点７６ｂと接触するよう切り替えておく。
【００４０】
（８）火災監視確認（ステップ８）
上記ステップ７の断線監視の確認が終了したら、今度は火災監視確認を行う。
４つの短絡試験用スイッチ７４をオンにする。そうすると、第２の電源回路４７の２４Ｖの電圧が第２の電圧出力端子５８から中継器１の第２の電源端子２３ｂ及び端末機器制御入力端子２４と試験機２の端末機器用入力端子５９と短絡試験用スイッチ７４とツエナーダイオード７５を介して第３の検出回路６２に印加されると共に、端末機器用接続端子７９と中継器１の受信回路用接続端子３５を介して受信回路３４に印加される。
【００４１】
第３の検出回路６２及び受信回路３４に印加される電圧は、ツエナーダイオード７５を介することによって（２４Ｖ−８．２Ｖ）となり、この場合は火災を検出した状態となる。
従って、中継器１の受信回路３４は（２４Ｖ−８．２Ｖ）の印加があったことを検出し、その検出信号をＣＰＵ１１に送り、ＣＰＵ１１では火災を検出した状態にあることを確認して正常と判断する。また、試験機２の第３の検出回路６２も（２４Ｖ−８．２Ｖ）の印加があったことを検出し、その検出信号をＣＰＵ４１に送り、ＣＰＵ４１では火災を検出した状態にあることを確認して正常と判断し、その旨を表示部４２に表示させる。
【００４２】
（９）復旧制御確認（ステップ９）
火災監視の確認が終了したら、復旧制御の確認を行う。
４つの短絡試験用スイッチ７４をオフにする。そうすると、中継器１の復旧制御により、受信回路３４と受信回路用接続端子３５を、受信回路３４内部で切り離す。これにより、第３の電圧検出回路６２の検出電圧が２４Ｖであることを検出し、その検出信号をＣＰＵ４１に送り、ＣＰＵ４１では火災の検出状態から復旧したことを確認して正常と判断する。
ステップ９の復旧制御の確認が終了したら、実施の形態１と同様に、ステップ１０のアドレス設定器接続部の確認、ステップ１１のＥＥＰＲＯＭ確認及びステップ１２の中継器の電源部の再確認が行われ、ステップ１３の自己診断モードの終了となる。
【００４３】
以上で説明したように本発明の実施の形態２によれば、中継器１のＣＰＵ１１はダミー端末機器の状態を検出して中継器１の機能の自己診断を行う自己診断プログラムを格納し、試験機２の試験開始信号を出力する試験信号出力部であるＣＰＵ４１と中継器のＣＰＵ１１とを接続し、試験機２の電源を供給する電源回路４６を中継器１の電源端子２１に接続し、試験機２のダミー端末機器である短絡試験用スイッチ７４とツエナーダイオード７５を端末機器制御入力端子２４、受信回路用接続端子３５に接続し、端末機器制御入力端子２４を試験機２の電源回路４７に接続し、受信回路用接続端子３５を中継器１の受信回路３４を介してＣＰＵ１１に接続し、中継器１のＣＰＵ１１は試験機２のＣＰＵ４１からの試験開始信号を受信すると、自己診断プログラムを実行して自己診断を行うようにしたので、中継器１のＣＰＵ１１は試験機２のＣＰＵ４１からの試験開始信号を受信すると、自己診断プログラムを実行し、ＣＰＵ１１は試験機２の短絡試験用スイッチ７４をオン動作させ、それによってツエナーダイオード７５によって設定された火災状態を示す電圧が受信回路３４で検出され、受信回路３４はツエナーダイオード７５の火災状態を示す電圧信号をＣＰＵ１１に伝えるため、ＣＰＵ１１はダミー端末機器である短絡試験用スイッチ７４とツエナーダイオード７５の動作状態を検出して自己診断を自動的に効率よく短時間で行うことができ、製品検査時に自己診断の結果に基づいて中継器の適否も判断することができる。
【図面の簡単な説明】
【００４４】
【図１】本発明の実施の形態１の中継器に試験器が接続された構成図。
【図２】同中継器の自己診断モードの手順を示すフローチャート。
【図３】本発明の実施の形態２の中継器に試験器が接続された構成図。
【図４】同中継器の自己診断モードの手順を示すフローチャート。
【符号の説明】
【００４５】
１  中継器、２  試験機、１１  ＣＰＵ、１２  リレー制御回路、１３  リレー駆動用スイッチ、１４  端末監視回路、１５  伝送回路、１６  ＣＰＵ用電源回路、１７  ＲＯＭ、１９  確認灯、３０  ＣＰＵ用電源端子、４１  ＣＰＵ、４２  表示部、４３  試験信号出力部、４４  リレー用コイル（ダミー端末機器）、４５  リレー接点（ダミー端末機器）、４６  第１の電源回路、４７  第２の電源回路、５１  第１の電圧検出回路、５７  第２の電圧検出回路、６２  第３の電圧検出回路。
【図１】
2007323210.tif 000003
【図２】
2007323210.tif 000004
【図３】
2007323210.tif 000005
【図４】
2007323210.tif 000006